(57)【特許請求の範囲】
【請求項１】
手摺棒の端部を支持部材に取り付けるようにした手摺棒の端部取付構造であって、
前記手摺棒の端部に取り付けられる第１金具と、
前記支持部材に前記第１金具に対応して取り付けられる第２金具とを備え、
前記第１金具および前記第２金具のうち一方側が雄金具によって構成されるとともに、他方側が雌金具によって構成され、
前記雄金具は、前記雌金具側に向けて突出する軸部の先端に径大の抜け止め部が形成された抜け止めピンを備え、
前記雌金具は、前記抜け止めピンに対し直交する上下方向に延び、かつ一端が開放されたスロットが形成された受止板を備え、
前記第１金具が前記第２金具に対し上側から引っ掛かるように、前記雄金具の軸部が前記雌金具のスロットにその一端開口から挿入配置されることにより、前記抜け止め部が前記受止板のスロット両側縁部に係合可能な状態で、前記手摺棒の端部が前記支持部材に取り付けられる一方、
前記第１金具の下端部に前記第２金具側に向けて突出するストッパーが固定され、そのストッパーが前記第２金具の下面側に係合することにより、前記軸部が前記スロットの一端開口から脱外するのが防止されるように構成されていることを特徴とする手摺棒の端部取付構造。
【請求項２】
前記手摺棒の端部に金具取付凹部が形成され、その凹部内に前記第１金具が収容された状態に取り付けられている請求項１項に記載の手摺棒の端部取付構造。
【請求項３】
前記第１金具が前記雄金具によって構成されるとともに、前記第２金具が前記雌金具によって構成されている請求項１または２に記載の手摺棒の端部取付構造。
【請求項４】
前記手摺棒は階段の開放側面に沿って配置される請求項１〜３のいずれか１項に記載の手摺棒の端部取付構造。
【発明の詳細な説明】
【技術分野】
【０００１】
この発明は、例えば一般住宅等の屋内階段や廊下等において手摺棒の端部を支持部材に取り付ける際に用いられる手摺棒の端部取付構造および端部取付金具に関する。
【背景技術】
【０００２】
一般住宅等の木質製屋内階段として片面または両側面が開放されたオープン階段が周知である。オープン階段の開放側面に取り付けられる手摺（オープン手摺）においては通常、手摺棒の長さ方向の中間部は所定間隔おきに立設された手摺子によって支持されるとともに、上端部や下端部は親柱や壁面等の支持部材に支持されている。
【０００３】
例えば特許文献１に示す手摺棒の端部取付構造は、手摺棒の端部に固定されたフランジを親柱にビス留めによって固定するようにしている。また特許文献２に示す手摺棒の端部取付構造は、親柱に逆Ｖ字状（山型）の係止部材を固定するとともに、手摺棒の端部に逆Ｖ字状の引掛溝を有する引掛部材を固定しておき、引掛溝を係止部材に外嵌することによって手摺棒の端部を親柱に係合するようにしている。さらに特許文献３に示す手摺棒の端部取付構造は、手摺棒の端部の下面側等に釘打ち用凹部を形成しており、その凹部の内周面に打ち込んだ釘を親柱に固定することによって、手摺棒の端部を親柱に固定するようにしている。
【先行技術文献】
【特許文献】
【０００４】
【特許文献１】特開２００２−３３９５３７号公報
【特許文献２】特開平６−２８０３６６号公報
【特許文献３】特開平７−４２３３３号公報
【発明の概要】
【発明が解決しようとする課題】
【０００５】
特許文献１，２に示す手摺棒の端部取付構造においては、手摺棒の端部にフランジや引掛部材が取り付けられるため、それらの部材が目立って違和感を覚えることにより、見栄えが悪くなり良好な美観を得ることが困難であるという課題があった。さらに特許文献１，２に示す手摺棒の端部取付構造は、手摺棒端部のフランジや引掛部材を支持部材に隙間なく密着した状態に取り付けるものであるため、寸法精度が低いと隙間等が形成されてしまう。このため、高い寸法精度が要求されて取付作業が困難であるという課題があった。
【０００６】
また特許文献３に示す手摺棒の端部取付構造においては、手摺棒の端部に形成した釘打ち用凹部を隠蔽するための隠蔽板（化粧板）を別途取り付ける必要がありその分、取付作業が面倒になるという課題があった。さらに特許文献３においても上記特許文献１，２と同様、手摺棒の端部を支持部材に隙間なく密着した状態に取り付けるものであるため、高い寸法精度が要求され、取付作業がより一層困難になってしまうという課題があった。
【０００７】
この発明は、上記の課題に鑑みてなされたものであり、手摺棒の取付作業を簡単に行うことができるとともに、良好な美観を得ることができる手摺棒の端部取付構造および端部取付金具を提供することを目的とする。
【課題を解決するための手段】
【０００８】
上記課題を解決するため、本発明は、以下の手段を備えるものである。
【０００９】
［１］手摺棒の端部を支持部材に取り付けるようにした手摺棒の端部取付構造であって、
前記手摺棒の端部に取り付けられる第１金具と、
前記支持部材に前記第１金具に対応して取り付けられる第２金具とを備え、
前記第１金具および前記第２金具のうち一方側が雄金具によって構成されるとともに、他方側が雌金具によって構成され、
前記雄金具は、前記雌金具側に向けて突出する軸部の先端に径大の抜け止め部が形成された抜け止めピンを備え、
前記雌金具は、前記抜け止めピンに対し直交する方向に延び、かつ一端が開放されたスロットが形成された受止板を備え、
前記雄金具の軸部が前記雌金具のスロットにその一端開口から挿入配置されることにより、前記抜け止め部が前記受止板のスロット両側縁部に係合可能な状態で、前記手摺棒の端部が前記支持部材に取り付けられていることを特徴とする手摺棒の端部取付構造。
【００１０】
［２］前記手摺棒の端部に金具取付凹部が形成され、その凹部内に前記第１金具が収容された状態に取り付けられている前項１項に記載の手摺棒の端部取付構造。
【００１１】
［３］前記第１金具が前記雄金具によって構成されるとともに、前記第２金具が前記雌金具によって構成され、
前記雌金具のスロットがその一端開口が上端に配置されるように上下方向に沿って配置されて、前記雄金具の抜け止めピンが前記スロットにその上側から挿入配置されている前項１または２に記載の手摺棒の端部取付構造。
【００１２】
［４］前記抜け止めピンの軸部が前記スロットに挿入された状態で前記軸部が前記スロットの一端開口から脱外するのを防止するための外れ止め手段を備える前項１〜３のいずれか１項に記載の手摺棒の端部取付構造。
【００１３】
［５］手摺棒の前記手摺棒は階段の開放側面に沿って配置される前項１〜４のいずれか１項に記載の手摺棒の端部取付構造。
【００１４】
［６］手摺棒の端部を支持部材に取り付けるための手摺棒の端部取付金具であって、
前記手摺棒の端部に取付可能な第１金具と、
前記支持部材に前記第１金具に対応して取付可能な第２金具とを備え、
前記第１金具および前記第２金具のうち一方側が雄金具によって構成されるとともに、他方側が雌金具によって構成され、
前記雄金具は、前記雌金具側に向けて突出する軸部の先端に径大の抜け止め部が形成された抜け止めピンを備え、
前記雌金具は、前記抜け止めピンに対し直交する方向に延び、かつ一端が開放されたスロットが形成された受止板を備え、
前記雄金具の軸部が前記雌金具のスロットにその一端開口から挿入配置されることにより、前記抜け止め部が前記受止板のスロット両側縁部に係合可能な状態で、前記雄金具が前記雌金具に取り付けられるように構成されていることを特徴とする手摺棒の端部取付金具。
【発明の効果】
【００１５】
発明［１］の手摺棒の端部取付構造によれば、手摺棒側の第１金具と支持部材側の第２金具とを係合するように取り付けるものであるから、手摺棒を支持部材に簡単に取り付けることができるとともに、取付用のフランジ等の違和感のある部位が存在せず、良好な美観を得ることができる。さらに第１および第２金具間において遊びを設けることができるため、その遊びの範囲内であれば、両金具を無理なくスムーズに係合することができ、手摺棒の取付作業を一層簡単に行うことができる。
【００１６】
発明［２］の手摺棒の端部取付構造によれば、手摺棒に金具取付凹部を形成し、その凹部内に第１金具を収容しているため、金具類の存在が外部からほとんど認識されることがなく、金具類を十分に隠蔽できて、より一層良好な美観を得ることができる。
【００１７】
発明［３］の手摺棒の端部取付構造によれば、手摺棒側の雄金具を支持部材側の雌金具に上側から載置するようにすれば引っ掛けることができるため、手摺棒の取付作業をより一層簡単に行うことができる。
【００１８】
発明［４］の手摺棒の端部取付構造によれば、取付状態の両金具が不用意に外れてしまうのを確実に防止でき、手摺棒を親柱等の支持部材に安定した状態に確実に取り付けることができる。
【００１９】
発明［５］の手摺棒の端部取付構造によれば、上記の効果を備えつつ木質製のオープン階段等に支障なく採用することができる。
【００２０】
発明［６］の手摺棒手摺棒の端部取付金具によれば、上記と同様に手摺棒の取付作業を簡単に行えるとともに、良好な美観を得ることができる。
【図面の簡単な説明】
【００２１】
【図１】図１はこの発明の実施形態である手摺棒の端部取付構造が適用された木質系屋内階段の上端部周辺を示す側面図である。
【図２】図２は実施形態の手摺棒の端部取付構造を示す分解斜視図である。
【図３】図３は実施形態の手摺棒の端部取付構造を示す断面図である。
【図４】図４は実施形態の手摺棒の端部取付構造を示す分解断面図である。
【図５】図５は実施形態に採用された手摺棒の端部を示す斜視図である。
【図６】図６は実施形態に採用された雌金具を示す斜視図である。
【図７】図７はこの発明の第１変形例である雄金具を示す断面図である。
【図８】図８はこの発明の第２変形例である雄金具を示す斜視図である。
【図９】図９はこの発明の第３変形例である手摺棒の端部取付構造を示す断面図である。
【図１０】図１０は第３変形例の手摺棒の端部取付構造に適用された雌金具を示す斜視図である。
【図１１】図１１はこの発明の第４変形例である手摺棒の端部取付構造を示す断面図である。
【図１２】図１２はこの発明の第５変形例である手摺棒の端部取付構造を示す断面図である。
【発明を実施するための形態】
【００２２】
図１はこの発明の実施形態である手摺棒の端部取付構造が適用された屋内の木質系階段の上端部周辺を示す側面図である。同図に示すようにこの階段は、階段本体と、その階段本体の開放側面に取り付けられる木質系手摺１とを備えている。なお本明細書においては発明の理解を容易にするため、階段を上る方向（図１の右方向）を「前方向」とし、下る方向（図１の左方向）を「後方向」として説明する。
【００２３】
階段本体は、上下方向および前後方向に所定間隔おきに並んで配置された複数の段板９を備えている。なお本実施形態では隣合う段板９，９において上側の段板９の前端部下面から下側の段板９の後端部上面にかけて蹴込板がそれぞれ取り付けられている。
【００２４】
本実施形態において手摺１は、厚さに比べて幅が長い扁平な矩形断面を有する手摺棒１１と、手摺棒１１を支持する親柱１８および手摺子１９とを備えている。親柱１８は、階段の上下両端部に立設されており、この親柱１８によって手摺棒１１の上下両端を後に詳述するように支持するようにしている。手摺子１９は、両端の親柱１８間において各段板９に所定間隔おきに立設されており、この複数の手摺子１９によって手摺棒１１の中間部を支持するようにしている。
【００２５】
本実施形態において、手摺子１９は金属製品によって構成されるとともに、親柱１８は角柱状の木質系の材料によって構成されている。
【００２６】
手摺棒１１は、手摺棒本体１２と、その手摺棒本体１２の両端部に着脱自在に連結されたエンドパーツ１３とを備えている。エンドパーツ１３は手摺棒１１の端部を構成するものである。エンドパーツ１３は例えば長さ寸法が８０ｍｍ〜１５０ｍｍ、厚さ寸法が２０ｍｍ〜３０ｍｍ、巾寸法が５０ｍｍ〜８０ｍｍに設定されている。
【００２７】
手摺棒１１としての手摺棒本体１２およびエンドパーツ１３の材質は、無垢材、集成材等の木製、木粉樹脂製等の木質系のものが採用されている。もっとも本発明において、手摺棒１１の材質は限定されるものではなく、金属製、樹脂製等、木質系以外のものも用いることができる。
【００２８】
本実施形態においては、手摺棒１１の端部としてのエンドパーツ１３が親柱１８に以下に詳述する金具２，３を介して連結されている。
【００２９】
図２〜図６は本実施形態の手摺棒の端部取付構造を示す図である。これらの図に示すように手摺棒１１の端部としてのエンドパーツ１３には、第１金具としての金属製の雄金具２が設けられるとともに、親柱１８には、第２金具としての金属製の雌金具３が設けられている。本実施形態において雄金具２等の第１金具と、雌金具３等の第２金具とによって端部取付金具が構成されている。
【００３０】
雄金具２は、手摺棒１１に固定されるベース板部２１と、ベース板部２１の前端縁に一体に形成され、かつ略垂直に配置される連結板部２２と、連結板部２２の前端縁に一体に形成され、かつ略水平に配置される水平板部２３と、水平板部２３の前端縁に一体に形成され、かつ略垂直に配置されるピン支持板部としての垂直板部２４とを備えている。さらにベース板部２１にはビス挿通孔２１１が形成されるとともに（図２および図５参照）、水平板部２３には雌ねじが切り込まれたビス留め孔２３１が形成されている。
【００３１】
また垂直板部２４には抜け止めピン２５が固定されている。抜け止めピン２５は垂直板部２４の板面に対し直交し、かつ前方に突出する円柱状の軸部２６と、軸部２６の前端に設けられ、かつ軸部２６よりも径寸法が大きい径大の抜け止め部２７とによって構成されている。
【００３２】
手摺棒１１はその下面側（裏面側）の中央に長さ方向に連続する取付溝１６が形成されており、この取付溝１６内において上記手摺子１９（図１参照）が連結されるようになっている。さらに手摺棒１１の前端部（エンドパーツ１３）の裏面側中央には、取付溝１６よりも深さが深い金具取付凹部１５が形成されている。この金具取付凹部１５は手摺棒１１の前端面において前方に開放されるとともに、後端側が取付溝１６に連通している。
【００３３】
この手摺棒１１の金具取付凹部１５内に上記雄金具２が取り付けられる。すなわち雄金具２の連結板部２２、水平板部２３、垂直板部２４および抜け止めピン２５が金具取付凹部１５内に収容されるようにして、ベース板部２１が取付溝１６の底面における金具取付凹部１５の近傍に配置される。その状態でベース板部２１のビス挿通孔２１１にビス２８が挿通されてそのビス２８が手摺棒１１における取付溝１６の底面にねじ込まれて固定されることにより、雄金具２が手摺棒１１の前端部（上端部）に固定されている。
【００３４】
なお雄金具付きの手摺棒１１を階段に組み付けた状態では、既述した通り雄金具２の連結板部２２および垂直板部２４はほぼ垂直に配置されるとともに、水平板部２３はほぼ水平に配置されるようになっている。さらに抜け止めピン２５（軸部２６）は前方に向けて突出するように、換言すると雌金具３側に向けて突出するように配置されている。
【００３５】
雌金具３は、ビス挿通孔３１１を有し、かつ垂直に配置されるベース板部３１と、ベース板部３１の下端縁に一体に形成された連結板部３２と、連結板部３２の先端縁に一体に形成され、かつベース板部３１に対し平行となるように垂直に配置される受止板部３３とを備えている。さらに受止板部３３には上端が開放されたスロット３４が形成されている。このスロット３４の幅は上記雄金具２における軸部２６の直径寸法よりも大きく、かつ抜け止め部２７の直径寸法よりも小さく形成されている。なお受止板部３３の幅は手摺棒１１の金具取付凹部１５の幅よりも狭く形成されており、受止板部３３が金具取付凹部１５内に収容可能に構成されている。
【００３６】
この雌金具３のベース板部３１が、親柱１８の後面における手摺棒端部の取付予定位置に配置された状態で、図６に示すようにベース板部３１のビス挿通孔３１１にビス３８が挿入されてそのビス３８が親柱１８の後面にねじ込まれて固定されることにより、雌金具３が親柱１８に固定されている。この固定状態では、既述した通りベース板部３１および受止板部３３はほぼ垂直に配置されるとともに、連結板部３３はほぼ水平に配置されるようになっている。
【００３７】
そして手摺棒１１に固定された雄金具２を、親柱１８に固定された雌金具３に引っ掛けて手摺棒１１の端部を親柱１８に取り付けるものである。すなわち雄金具２の抜け止めピン２５における軸部２６を雌金具３の受止板部３３におけるスロット３４の上端開口から挿入して抜け止めピン２５を受止板部３３のスロット３４内に配置する。この状態では抜け止め部２７が受止板３３の裏面側におけるスロット３４の両側縁部に係合し得る状態となり、その係合によって手摺棒１１（雄金具２）を親柱１８（雌金具３）に対し後方に抜け出すのが防止されている。なおこの取付状態では、雌金具３の受止板部３３が雄金具２と共に手摺棒１１の金具取付凹部１５内に収容されている。
【００３８】
ここで本実施形態においては、雄金具２の軸部２６の長さ寸法は雌金具３の受止板部３３の厚み寸法に対し所定量長く形成されており、雄金具２は雌金具３に対し軸方向に遊びが設けられている。さらに雄金具２の軸部２６の径寸法は雌金具３のスロット３４の巾寸法に対し所定量小さく形成されており、雄金具２は雌金具３に対し巾方向に遊びが設けられている。また言うまでもなく、雄金具２の軸部２６は雌金具３のスロット３４に対し上下方向に移動可能であり、雄金具２の軸部２６は雌金具３のスロット３４に対し軸回り方向にも移動可能である。従って雄金具２は雌金具３に対し前後方向（軸方向）、左右方向（巾方向）、上下方向および軸回り方向の全方向に遊びが設けられている。
【００３９】
一方、本実施形態においては、雄金具２が雌金具３から外れてしまうのを防止するための外れ止め手段が設けられている。本実施形態において外れ止め手段は、端部にビス挿通孔４１が形成された板状のストッパー４と、ビス４２とによって構成されている。
【００４０】
そして手摺棒１１（雄金具２）を親柱１８（雌金具３）に取り付けた後、ストッパー４を雄金具２における水平板部２３の下面側と雌金具３における連結板部３２の下面側に沿わせるとともに、ストッパー４のビス挿通孔４１を雄金具２のビス留め孔２３１に対応させて配置する。その状態で下側からストッパー４のビス挿通孔４１にビス４２を挿通してビス留め孔２３１にねじ込んで固定する。この状態ではストッパー４が雌金具３の下端面に係合することによって、雄金具２が雌金具３に対し上方へ移動するのが防止されるため、雄金具２の抜け止めピン２５が雌金具３のスロット３４から上方へ抜け出すのが防止されて、雄金具２が雌金具３から不用意に外れてしまうのを確実に防止することができる。
【００４１】
以上のように本実施形態の手摺棒の端部取付構造においては、手摺棒１１の端部（エンドパーツ１３）における下端部に固定した雄金具２を、親柱１８に固定した雌金具３に引っ掛けて取り付けるものであるから、従来のように取付用のフランジ等の大きく張り出した違和感のある部位が存在せず、良好な美観を得ることができる。
【００４２】
その上さらに本実施形態においては手摺棒１１に金具取付凹部１５を形成し、その凹部１５内に雄金具２や雌金具３の一部を収容しているため、雄金具２や雌金具３を隠蔽することができる。このため雄金具２や雌金具３の存在が外部からほとんど認識されることがなく、より一層良好な美観を得ることができる。
【００４３】
また本実施形態においては手摺棒１１の雄金具２を親柱１８の雌金具３に引っ掛けるだけで組み付けることができるため、手摺棒１１を親柱１８に簡単に取り付けることができる。
【００４４】
さらに本実施形態においては、親柱１８側の雌金具３におけるスロット３４を上向きに開放するようにしているため、手摺棒１１側の雄金具２を親柱１８側の雌金具３に上側から載置するようにすれば引っ掛けることができ、手摺棒１１の親柱１１への取付作業を一層簡単に行うことができる。
【００４５】
また本実施形態の取付構造においては、手摺棒１１の雄金具２における抜け止めピン２５の軸部２６を親柱１８における雌金具３のスロット３４に挿入するものであるため、抜け止めピン２５の軸方向、軸回り方向、スロット３４の巾方向（左右方向）、スロット３４の長さ方向（上下方向）等の全方向に、手摺棒１１の親柱１８に対する遊びを設けることができる。従って上記の遊びの範囲内であれば、雄金具２を雌金具３に無理なくスムーズにできるため、手摺棒１１の親柱１８への取付作業をより一層簡単に行うことができる。
【００４６】
また本実施形態においては、雄金具２にストッパー４をビス留めし、そのストッパー４を雌金具３の下端面に係合させて雄金具２が雌金具３に対し上方向（外れ方向）に移動するのを防止しているため、雄金具２が雌金具３から不用意に外れてしまうのを確実に防止でき、手摺棒１１を親柱１８に安定した状態に確実に取り付けることができる。
【００４７】
なお上記実施形態においては、手摺棒１１の端部を親柱１８等の支持部材に取り付ける場合を例に挙げて説明したが、それだけに限られず、本発明においては手摺棒の端部を他の支持部材に取り付けるようにしても良い。例えば屋内の壁面や柱等の支持部材に手摺棒の端部を取り付ける場合においても本発明を適用することができる。
【００４８】
また上記実施形態においては、手摺棒１１の上端部を支持部材に取り付ける場合を例に挙げて説明したが、それだけに限られず、本発明においては手摺棒の下端部を支持部材に取り付ける場合においても適用することができる。この場合例えば雄金具２の上下を反転させて手摺棒の下端部に取り付けたり、雄金具２の各板部２２〜２４の折り曲げ角度等を適宜変更するようにすれば、上記と同様に手摺棒の下端を支持部材に取り付けることができる。
【００４９】
また上記実施形態においては、外れ止め手段としてのストッパー４を雄金具２だけにビス留めするようにしているが、それだけに限られず、本発明においては図７に示すようにストッパー４を雌金具３における連結板部３２に対してもビス４２によって固定するようにしても良い。また連結板部３２にビス孔を設けずにビス４２で押し上げるようにしても良い。
【００５０】
さらに外れ止め手段をスナップ式のストッパー機構によって構成するようにしても良い。スナップ式のストッパー機構は、雌金具３におけるスロット３４の上端開口にその開口を閉塞するストッパーが開閉自在に取り付けられており、雄金具２の抜け止めピン２５がスロット３４に挿入される際には、抜け止めピン２５によってストッパーが押されてスロット３４の上端開口が開放されて抜け止めピン２５がスロット３４内に挿入されるとともに、抜け止めピン２５がスロット３４の奥まで挿入されると、抜け止めピン２５によるストッパーへの押込が解除されてストッパーがバネ等の付勢手段によって自動的に閉塞状態に復帰するように構成されている。
【００５１】
また上記実施形態の雌金具３においては、連結板部３２によってベース板部３１および受止板部３３の下端部間を連結するようにしているが（図６参照）、それだけに限られず、本発明においては図８に示すように連結板部３２によってベース板部３１および受止板部３３の上部間を連結するようにしても良い。この場合、連結板部３におけるスロット３４に対応する部分に、雄金具２の抜け止め部２７が通過できる大きさの開口２９を形成しておくことにより、雄金具２の抜け止めピン２５を雌金具３のスロット３４に対し確実に挿脱することができる。
【００５２】
また上記実施形態においては、雄金具２を手摺棒１１に固定し、かつ雌金具３を支持部材に固定するようにしているが、それだけに限られず、雄金具２を親柱等の支持部材に固定し、かつ雌金具３を手摺棒１１に固定するようにしても良い。つまり雄金具２を第２金具とし、かつ雌金具３を第１金具とするようにしても良い。この場合図９および図１０に示すように、例えば手摺棒１１側の雌金具３を上下反転した状態に固定しておくことにより、手摺棒１１側の雌金具３を、親柱１８等の支持部材側の雄金具２に対して上側から引っ掛けることができ、良好な取付作業性を得ることができる。このような構成を採用する場合雄金具２としては例えば図９に示すように、垂直に配置され、かつ親柱１８等の支持部材にビス留め固定されるベース板１２１と、ベース板１２１の下端縁に形成された連結板部１２２と、連結板部１２２の先端縁に形成され、かつベース板１２１に対し間隔をおいて平行に配置されるピン支持板部１２３と、ピン支持板部１２３に雌金具３側に突出するように設けられた抜け止めピン２５とを備えたものを用いることができる。
【００５３】
さらに上記図９の構成を採用する場合、外れ止め手段としては以下の構成を採用することができる。例えば図１１に示すように雌金具３のベース板部３１の下端部に雄金具２側に向けて突出する突出板部３９を形成しておき、この突出板部３９の下面に雄金具２側に向けて突出するようにストッパー４をビス４２により固定し、そのストッパー４を雄金具２側の連結板部１２２の下面側に係合させることにより、外れ止めを図るようにすれば良い。さらに図１２に示すように雌金具３の突出板部３９にビス留めしたストッパー４を、雄金具２の連結板部１２２に対してもビス４２により固定するようにしても良い。また連結板部１２２にビス孔を設けずにビス４２で押し上げるようにしても良い。
【００５４】
また上記実施形態等においては、雌金具３のスロット３４の一端開口を上向きまたは下向きに配置する場合を例に挙げて説明したが、それだけに限られず、本発明においては、雌金具３のスロット３４の一端開口を横向き、斜め上向き、斜め下向きに配置するようにしても良い。
【００５５】
また上記実施形態においては開放面に手摺棒を配置する場合を例に挙げて説明したが、それだけに限られず、本発明においては壁面等の閉塞面に手摺棒を配置するような場合にも上記と同様に適用することができる。
【００５６】
また上記実施形態においては、本発明を階段用手摺に適用する場合を例に挙げて説明したが、本発明の適用箇所は特に限定されるものではない。例えば本発明は、階段以外にも、段差スロープ、廊下、トイレットルーム、玄関、洗面所、風呂場等に組み付けられる手摺にも上記と同様に適用することができる。
【産業上の利用可能性】
【００５７】
この発明の手摺棒の端部取付構造は、例えば一般住宅等の屋内に組み付けられるオープン階段に適用することができる。
【符号の説明】
【００５８】
１１：手摺棒
１３：エンドパーツ（端部）
１５：金具取付凹部
１８：親柱（支持部材）
２：雄金具（第１金具）
２５：抜け止めピン
２６：軸部
２７：抜け止め部
３：雌金具（第２金具）
３３：受止板部（受止板）
３４：スロット
４：ストッパー（外れ止め手段）
４２：ビス（外れ止め手段）
【図１】
0006580369.tif 000002
【図２】
0006580369.tif 000003
【図３】
0006580369.tif 000004
【図４】
0006580369.tif 000005
【図５】
0006580369.tif 000006
【図６】
0006580369.tif 000007
【図７】
0006580369.tif 000008
【図８】
0006580369.tif 000009
【図９】
0006580369.tif 000010
【図１０】
0006580369.tif 000011
【図１１】
0006580369.tif 000012
【図１２】
0006580369.tif 000013